(57)【要約】      （修正有）【課題】ティッシュボックスの側面に覗き孔を開設することなく、中に収納されているティッシュペーパーの残量を確かめることのできるティッシュボックスを提供する。【解決手段】収納されるティッシュペーパー１１の残量を示す残量表示２０、２１を表したティッシュペーパー１１を、その残量に対応する位置に配置収納して、ティッシュボックス１０の側面に覗き孔を開設して残量を確認しなくても、ティッシュペーパー１１自体に残量を報知する残量表示を表す内容を表示する。【選択図】図４
0003176101.tif 000002
【実用新案登録請求の範囲】
【請求項１】
収納されるティッシュペーパーの残量を示す残量表示を表したティッシュペーパーを、その残量に対応する位置に配置収納することを特徴とするティッシュボックス。
【請求項２】
前記残量表示は残量が少なくなったことを内容とする文字からなることを特徴とする請求項１に記載のティッシュボックス。
【請求項３】
前記残量表示はアイコンからなることを特徴とする請求項１に記載のティッシュボックス。
【請求項４】
前記アイコンは、前記ティッシュボックスの外観を表示する略コ字状部と、前記略コ字状部の内部に表示されると共に、前記ティッシュボックス内部に収納されるティッシュペーパーの残量を表示する直線部を備えことを特徴とする請求項３に記載のティッシュボックス。
【請求項５】
前記直線部の本数又は／および前記コ字状部に占める面積により、前記ティッシュペーパーの残量を表示することを特徴とする請求項４に記載のティッシュボックス。
【請求項６】
前記残量表示は前記ティッシュペーパーに残量数を段階的に表示することを特徴とする請求項１乃至５の何れか一に記載のティッシュボックス。
【考案の詳細な説明】
【技術分野】
【０００１】
本考案は、ティッシュボックスに関するものであり、より詳細には、収納されるティッシュペーパーの残量を表示することのできるティッシュボックスに関する。
【背景技術】
【０００２】
従来、ティッシュボックスの中に収納されているティッシュペーパーは、その残量を確かめる手段はなく、残量を確かめる方法としては、ティッシュボックスの取り出し孔から内部を覗き込んで残量を確かめたり、ティッシュボックスを持ち上げて、その重量からティッシュペーパーの残量を推測したり、さらには、ティッシュボックス自体を上下左右に振り、その抵抗や音等からティッシュペーパーの残量を推測するしか無かった。
【０００３】
この不都合を解消すべく、例えば、特開２００１−５８６８５号（特許文献１）に記載のようなティッシュボックスが提案されている。前記公報に記載のティッシュボックスは、ティッシュボックス本体にティッシュボックスに収納されるティッシュペーパーの残量を一目で確認出来るように、ティッシュボックスにティッシュペーパーの残量を確認するための覗き穴を設けている。
【先行技術文献】
【特許文献】
【０００４】
【特許文献１】特開２００１−５８６８５号    第１頁  図１
【考案の概要】
【考案が解決しようとする課題】
【０００５】
しかしながら、前記ティッシュボックスは、前記ティッシュボックスの側面に覗き孔を開設しなければならず、通常のティッシュボックスよりも製造費用が掛かることとなり、販売価格が廉価であることを求められるこの種の製品に適用することは妥当でない。
【０００６】
本考案は、かかる事情に鑑みてなされたものであって、前記ティッシュボックスの側面に覗き孔を開設することなく、内部に収納されているティッシュペーパーの残量を表示することができ、残量が少なくなった場合に、残量が少なくなった旨を認知をすることのできるティッシュボックスを提供することを目的とする。
【０００７】
また、本考案の他の目的は、前記ティッシュボックスの内部に収納された前記ティッシュペーパーの残量を段階的に知らせる表示によって、前記ティッシュペーパーの残量を適宜段階にて認知することのできるティッシュボックスを提供することを目的とする。
【課題を解決するための手段】
【０００８】
請求項１に記載のティッシュボックスは、収納されるティッシュペーパーの残量を示す残量表示を表したティッシュペーパーを、その残量に対応する位置に配置収納することを特徴とする。
【０００９】
請求項１に記載のティッシュボックスにあっては、収納される前記ティッシュペーパーの残量が少なくなった場合に、残量表示を表したティッシュペーパーが出てくるため、使用者は、前記ティッシュボックスに収納された前記ティッシュペーパーの残量を容易に認知することができ、さらに、前記ティッシュボックスは、前記残量表示が表されたティッシュペーパーをその残量に対応する位置に配置収納しておくだけで良いので、容易且つ安価に製造することができる。
【００１０】
請求項２に記載のティッシュボックスは、請求項１記載のティッシュボックスにおいて、前記残量表示は残量が少なくなったとこを内容とする文字からなることを特徴とする。
【００１１】
請求項２に記載のティッシュボックスにあっては、請求項１に記載のティッシュボックスに加えて、残量表示が文字で構成されているので、その内容を容易に認知することができる。
【００１２】
請求項３に記載のティッシュボックスは、請求項１に記載のティッシュボックスにおいて、前記残量表示はアイコンからなることを特徴とする。
【００１３】
請求項３に記載のティッシュボックスにあっては、請求項１に記載のティッシュボックスに加えて、残量表示が図形化されているので、残量表示を容易に、且つ、文字が読めない場合であっても感覚的に認知することができる。
【００１４】
請求項４に記載のティッシュボックスは、請求項３に記載のティッシュボックスにおいて、前記アイコンは、前記ティッシュボックスの外観を表示する略コ字状部と、前記略コ字状部の内部に表示されると共に、前記ティッシュボックス内部に収納されるティッシュペーパーの残量を表示する直線部を備えことを特徴とする。
【００１５】
請求項４に記載のティッシュボックスにあっては、残量表示がティッシュボックスとティッシュペーパーを表すように図形化されているので、残量表示を容易に、且つ、文字が読めない場合であっても感覚的に認知することができる。
【００１６】
請求項５に記載のティッシュボックスは、請求項４に記載のティッシュボックスであって、前記直線部の本数又は／および前記コ字状部に占める面積により、前記ティッシュペーパーの残量を表示することを特徴とする。
【００１７】
請求項５に記載のティッシュボックスにあっては、残量表示がティッシュボックスとティッシュペーパーを表すように図形化されているので、残量表示を容易に、且つ、文字が読めない場合であっても感覚的に認知することができる。
【００１８】
請求項６に記載のティッシュボックスは、請求項１乃至５の何れか一に記載のティッシュボックスにおいて、前記残量表示は前記ティッシュペーパーに残量を段階的に表示することを特徴とする。
【００１９】
請求項６に記載のティッシュボックスにあっては、請求項１乃至５の何れかに記載のティッシュボックスに加えて、残量を段階的に認知することができる。
【考案の効果】
【００２０】
請求項１に記載のティッシュボックスによれば、収納されるティッシュペーパーの残量を示す残量表示を表したティッシュペーパーを、その残量に対応する位置に配置収納しているので、例えば、収納される前記ティッシュペーパーの残量が少なくなった場合に、残量表示を表したティッシュペーパーが出てくるため、使用者は、前記ティッシュボックスに収納された前記ティッシュペーパーの残量が残り僅かである旨を容易に認知することができ、さらに、前記ティッシュボックスは、前記残量表示が表されたティッシュペーパーをその残量に対応する位置に配置収納しておくだけで良いので、容易且つ安価に製造することができる。
【００２１】
請求項２に記載のティッシュボックスによれば、請求項１記載のティッシュボックスにおいて、前記残量表示は残量が少なくなったとこを内容とする文字からなるので、請求項１に記載のティッシュボックスに加えて、残量表示を容易に認知することができる。
【００２２】
請求項３に記載のティッシュボックスによれば、請求項１に記載のティッシュボックスにおいて、前記残量表示はアイコンからなるので、残量表示が図形化されているため、残量表示を容易に且つ感覚的に認知することができる。
【００２３】
請求項４に記載のティッシュボックスによれば、請求項３に記載のティッシュボックスにおいて、前記アイコンは、前記ティッシュボックスの外観を表示する略コ字状部と、前記略コ字状部の内部に表示されると共に、前記ティッシュボックス内部に収納されるティッシュペーパーの残量を表示する直線部を備えているので、残量表示がティッシュボックスとティッシュペーパーを表すように図形化されているため、残量表示を容易に且つ感覚的に認知することができる。
【００２４】
請求項５に記載のティッシュボックスによれば、請求項４に記載のティッシュボックスであって、前記直線部の本数又は／および前記コ字状部に占める面積により、前記ティッシュペーパーの残量を表示するので、残量表示がティッシュボックスとティッシュペーパーを表すように図形化されているため、残量表示を容易に且つ感覚的に認知することができる。
【００２５】
請求項６に記載のティッシュボックスによれば、請求項１乃至５の何れか一に記載のティッシュボックスにおいて、前記残量表示は前記ティッシュペーパーに残量数を段階的に表示するので、請求項１乃至５の何れかに記載のティッシュボックスに加えて、残量を段階的に認知することができる。
【図面の簡単な説明】
【００２６】
【図１】本考案に係る第１の実施例を示すティッシュボックスの斜視図である。
【図２】第１の実施例のティッシュボックスを示す側面断面図である。
【図３】第１の実施例のティッシュボックスを示す一部切欠斜視図である。
【図４】第１の実施例のティッシュボックスを示す一部切欠斜視図である。
【図５】第２の実施例のティッシュボックスを示す一部切欠斜視図である。
【図６】図５の概略断面図である。
【図７】第２の実施例のティッシュボックスを示す一部切欠斜視図である。
【図８】図７の概略断面図である。
【考案を実施するための形態】
【００２７】
以下、本考案を実施するための形態を図面に基づいて具体的に説明する。
【００２８】
図１乃至図４は本考案の第１の実施例を示す図であり、図１は ティッシュボックスの斜視図であり、図２はティッシュボックスの側面断面図であり、図３はティッシュボックスの一部切欠斜視図であり、図４はティッシュボックスの一部切欠斜視図である。
【００２９】
図１乃至図４において、１０はティッシュボックスであり、前記ティッシュボックス１０は、直方体状に形成された紙箱で構成しており、その内部に複数枚（例えば、１６０枚乃至２００枚程度）のティッシュペーパー１１が、２枚１組となって、部分的に重ね合わせるように折り重ねられて収納されている。
【００３０】
そして、図２及び図３に示すように、前記一組のティッシュペーパー１１を、引き出すと、それにつれて、次の一組のティッシュペーパー１１の引き出しが容易になるように、次の一組のティッシュペーパー１１の全体の１／３程度が引き出されるように構成されている。
【００３１】
そして、図４に示すように、前記収納されたティッシュペーパー１１の残量が少なくなった場合には、残量が僅かとなる位置に配置収納される前記ティッシュペーパー１１に、残量表示２０を表しているのである。前記残量表示２０は、残量が少なくなった旨の表示を、「残わずか」のように文字表示２１にしたものであって、前記文字表示２１は、レーザー印刷のような印刷手段で前記ティッシュペーパー１１に印刷して構成される。
【００３２】
なお、図４においては、残量が僅かとなる位置に配置収納される前記ティッシュペーパー１１に残量表示２０を表しているが、例えば、収納される前記ティッシュペーパー１１の残量が２／３，１／３の箇所にも、それぞれ、「残量２／３」、「残量１／３」の各文字表示（図示せず）を印刷した前記ティッシュペーパー１１を配置収納して、段階的に前記ティッシュペーパー１１の残量を使用者が認知できるようにしてもよい。
【００３３】
前記第１の実施例による前記ティッシュボックス１０は、以上のように構成されているので、収納される前記ティッシュペーパー１１の残量が少なくなった場合に、「残わずか」の文字が印刷された前記ティッシュペーパー１１が出てくるため、使用者は、前記ティッシュボックス１０に収納された前記ティッシュペーパー１１の残量が残り僅かである旨を容易に認知することができ、さらに、前記ティッシュボックス１０は、前記文字表示２１が印刷されたティッシュペーパー１１を所定の位置に配置収納しておくだけで良いので、容易且つ安価に製造することができる。
【００３４】
（第２実施例）
【００３５】
図５乃至図８は、本考案の第２の実施例を示す図であり、図５は内部に収納されているティッシュペーパー１１の残量が約１／５程度になった場合のティッシュペーパー１１のアイコン表示を示す一部切欠斜視図であり、図６は図５の概略断面図であり、図７は内部に収納されているティッシュペーパー１１の残量が僅かになった場合のティッシュペーパー１１のアイコン表示を示す一部切欠斜視図であり、図８は図７の概略断面図である。
【００３６】
図５乃至図８に示すように、前記ティッシュペーパー１１に表される残量表示２０はアイコン表示２２であっても良い。
【００３７】
図５乃至図８に示す前記アイコン表示２２は、前記ティッシュボックス１０の外観を表す略コ字状部２２ａと、前記ティッシュペーパー１１の残量を表す前記略コ字状部２２ａの内部に収納される直線部２２ｂとから構成されており、前記直線部２２ｂの本数で前記ティッシュボックス１０内部に収納されるティッシュペーパー１１の残量を表示するように図形化されている。
【００３８】
図５及び図６は、前記ティッシュボックス１０内部に収納されるティッシュペーパー１１の残量がおおよそ１／３程度になった前記ティッシュボックス１０を示しており、前記１／３程度の箇所に配置収納された前記アイコン表示２２を表した前記ティッシュペーパー１１が現れている。前記アイコン表示２２は、前記略コ字状部２２ａの内部に収納される直線部２２ｂは３本の直線から構成され、前記略コ字状部２２ａ内部の天地方向における約１／３程度の面積を占めるように図形化されており、前記ティッシュペーパー１１の残量が１／３程度であることを示している。
【００３９】
図７及び図８は、前記ティッシュボックス１０内部に収納されるティッシュペーパー１１の残量が僅かになった前記ティッシュボックス１０を示しており、残量が僅かとなる箇所に配置収納された前記アイコン表示２２を表した前記ティッシュペーパー１１が現れている。そして、前記アイコン表示２２は、前記略コ字状部２２ａの内部に収納される直線部２２ｂは１本の直線から構成され、前記略コ字状部２２ａ内部の天地方向に占める面積が僅かとなるように図形化されており、前記ティッシュペーパー１１の残量が僅かである旨を示している。
【００４０】
以上のように構成された前記ティッシュボックス１０を使用する場合は、残量表示２０をアイコン表示２２としているので、使用者は、前記ティッシュボックス１０の残量が少なくなったことを、文字を読まなくても（また、文字が読めない場合であっても）、感覚的に認知することができる。また、前記残量表示２０を段階的に表示する場合は、使用者は、予め、前記ティッシュボックス１０に収納された前記ティッシュペーパー１１の残量を段階的に把握することができ、適切な時機に新しい前記ティッシュボックス１０を用意することができる。
【００４１】
なお、前記第２の実施例においては、前記ティッシュボックス１０の内部に収納される前記ティッシュペーパー１１の残量の程度を前記直線部２２ｂの本数又は／および天地方向に占める面積の割合で表示したが、前記直線部２２ｂの線の太さを変更することによって表示しても良い。
【符号の説明】
【００４２】
１０    ティッシュボックス
１１    ティッシュペーパー
２０    残量表示
２１    文字表示
２２    アイコン表示
２２ａ  略コ字状部
２２ｂ  直線部
【図１】
0003176101.tif 000003
【図２】
0003176101.tif 000004
【図３】
0003176101.tif 000005
【図４】
0003176101.tif 000006
【図５】
0003176101.tif 000007
【図６】
0003176101.tif 000008
【図７】
0003176101.tif 000009
【図８】
0003176101.tif 000010